(57)【要約】  回線交換方式の監視装置に接続され、データ通信が失敗しても、他の手段で通信を行うことができる通信アダプタ装置を得る。監視装置からのアナログ音声信号をパケットに変換するとともに、監視センターからのパケットをアナログ音声信号に変換するパケット処理部と、アナログ音声信号に含まれ、通信終了を示すＰＢ信号を認識するＰＢ信号認識部と、ＰＢ信号認識部でＰＢ信号を認識した場合に、通信成功と判断するとともに、ＰＢ信号を認識していないにもかかわらず、回線が切断された場合に、あらかじめ定められた一定時間待機する制御部と、制御部が一定時間待機した後も、発信または着信がない場合に、監視センターに対してメッセージを送信し、監視装置と監視センターとの通信が失敗したことを通知するメッセージ送信部とを備えたものである。
2017168550.tif 000002
【特許請求の範囲】
【請求項１】
回線交換方式の監視装置に接続され、パケット交換網を介して監視センターとの間でデータを送受信する通信アダプタ装置であって、
前記監視装置からのアナログ音声信号をパケットに変換するとともに、前記監視センターからのパケットをアナログ音声信号に変換するパケット処理部と、
前記アナログ音声信号に含まれ、通信終了を示すＰＢ信号を認識するＰＢ信号認識部と、
前記ＰＢ信号認識部で前記ＰＢ信号を認識した場合に、通信成功と判断するとともに、前記ＰＢ信号を認識していないにもかかわらず、回線が切断された場合に、あらかじめ定められた一定時間待機する制御部と、
前記制御部が前記一定時間待機した後も、発信または着信がない場合に、前記監視センターに対してメッセージを送信し、前記監視装置と前記監視センターとの通信が失敗したことを通知するメッセージ送信部と、
を備えた通信アダプタ装置。
【請求項２】
請求項１に記載された通信アダプタ装置と、前記監視センターとからなるデータ通信システム。
【請求項３】
回線交換方式の監視装置に接続され、パケット交換網を介して監視センターとの間でデータを送受信する通信アダプタ装置で実行されるデータ通信方法であって、
前記監視装置からのアナログ音声信号をパケットに変換するとともに、前記監視センターからのパケットをアナログ音声信号に変換するパケット処理ステップと、
前記アナログ音声信号に含まれ、通信終了を示すＰＢ信号を認識するＰＢ信号認識ステップと、
前記ＰＢ信号を認識していないにもかかわらず、回線が切断された場合に、あらかじめ定められた一定時間待機する待機ステップと、
前記一定時間待機した後も、発信または着信がない場合に、前記監視センターに対してメッセージを送信し、前記監視装置と前記監視センターとの通信が失敗したことを通知する通知ステップと、
を有するデータ通信方法。
【発明の詳細な説明】
【技術分野】
【０００１】
この発明は、回線交換方式の監視装置に接続され、パケット交換網を介して監視センターとの間でデータを送受信する通信アダプタ装置、この通信アダプタ装置が適用されたデータ通信システムおよびデータ通信方法に関する。
【背景技術】
【０００２】
従来から、エレベータ等の監視対象の監視データを、通信回線を介して遠隔地に設置された監視センターに送信したり、監視対象と監視センターとの間で音声通話したりすることが行われている。【０００３】
このとき、監視対象の監視装置と監視センターの遠隔監視部とが、モデムを介して固定電話回線やＰＨＳ（Ｐｅｒｓｏｎａｌ  Ｈａｎｄｙ−ｐｈｏｎｅ  Ｓｙｓｔｅｍ）回線により回線交換方式で接続され、監視装置と遠隔監視部との間でアナログ音声信号を送受信するアナログモデム通信を行うものがある。なお、回線交換方式とは、通信開始から通信終了までの間、監視装置と遠隔監視部との間で物理的または仮想的な一対一の伝送路を設定し、回線を占有してデータの送受信を行うものである。【０００４】
また、近年では、回線交換方式に代えて、ＬＴＥ（Ｌｏｎｇ  Ｔｅｒｍ  Ｅｖｏｌｕｔｉｏｎ）等の携帯電話回線であるパケット交換網を用い、データをパケットと呼ばれる小さな単位に分割して、それぞれのパケットを個別に送受信するパケット交換方式が主流になっている。なお、パケット交換方式では、パケットが正常に送信されなかった場合に、当該パケットがリトライにより再送信される。【０００５】
ここで、被監視部との間でアナログ音声信号を送受信可能に構成され、被監視部との間で送受信されるアナログ音声信号とパケットとの相互変換を行う音声パケット変換処理部と、パケット交換網を有する移動体通信網との間で無線通信可能に構成され、移動体通信網との間で送受信される無線伝送信号とパケット変換処理部で処理されるパケットとの相互変換を行う無線通信モジュールとを備えた通信アダプタ装置が提案されている（例えば、特許文献１参照）。
【先行技術文献】
【特許文献】
【０００６】
【特許文献１】特開２０１１−２４９８６０号公報
【発明の概要】
【発明が解決しようとする課題】
【０００７】
しかしながら、従来技術には、以下のような課題がある。
すなわち、アナログモデム通信では、通信が継続している間、常に搬送波が送信されており、モデムＩＣは、搬送波が途切れると回線が切断されたと判断する。【０００８】
そのため、特許文献１に記載された通信アダプタ装置を回線交換方式の監視装置に適用すると、パケットが正常に送信されずパケットが再送信される場合や、パケット交換網の混雑時にパケットが遅れて届く場合に、搬送波が途切れ、データ通信が終了していないにもかかわらず、回線が切断されたと判断する恐れがあるという問題がある。【０００９】
この発明は、上記のような課題を解決するためになされたものであり、回線交換方式の監視装置に接続され、データ通信が失敗しても、他の手段で通信を行うことができる通信アダプタ装置を得ることを目的とする。
【課題を解決するための手段】
【００１０】
この発明に係る通信アダプタ装置は、回線交換方式の監視装置に接続され、パケット交換網を介して監視センターとの間でデータを送受信する通信アダプタ装置であって、監視装置からのアナログ音声信号をパケットに変換するとともに、監視センターからのパケットをアナログ音声信号に変換するパケット処理部と、アナログ音声信号に含まれ、通信終了を示すＰＢ信号を認識するＰＢ信号認識部と、ＰＢ信号認識部でＰＢ信号を認識した場合に、通信成功と判断するとともに、ＰＢ信号を認識していないにもかかわらず、回線が切断された場合に、あらかじめ定められた一定時間待機する制御部と、制御部が一定時間待機した後も、発信または着信がない場合に、監視センターに対してメッセージを送信し、監視装置と監視センターとの通信が失敗したことを通知するメッセージ送信部とを備えたものである。
【発明の効果】
【００１１】
この発明に係る通信アダプタ装置によれば、回線交換方式の監視装置に接続され、パケット交換網を介して監視センターとの間でデータを送受信する通信アダプタ装置であって、パケット処理部は、監視装置からのアナログ音声信号をパケットに変換するとともに、監視センターからのパケットをアナログ音声信号に変換し、ＰＢ信号認識部は、アナログ音声信号に含まれ、通信終了を示すＰＢ信号を認識し、制御部は、ＰＢ信号認識部でＰＢ信号を認識した場合に、通信成功と判断するとともに、ＰＢ信号を認識していないにもかかわらず、回線が切断された場合に、あらかじめ定められた一定時間待機し、メッセージ送信部は、制御部が一定時間待機した後も、発信または着信がない場合に、監視センターに対してメッセージを送信し、監視装置と監視センターとの通信が失敗したことを通知する。
そのため、回線交換方式の監視装置に接続され、データ通信が失敗しても、他の手段で通信を行うことができる通信アダプタ装置を得ることができる。
【図面の簡単な説明】
【００１２】
【図１】この発明の実施の形態１に係る通信アダプタ装置が適用されたデータ通信システムを示す構成図である。
【図２】この発明の実施の形態１に係る通信アダプタ装置を示すブロック構成図である。
【図３】この発明の実施の形態１に係る監視センターを示すブロック構成図である。
【図４】この発明の実施の形態１に係る監視装置と監視センターとの間の通信の流れを示すシーケンス図である。
【図５】この発明の実施の形態１に係る通信アダプタ装置の動作を示すフローチャートである。
【発明を実施するための形態】
【００１３】
以下、この発明に係る通信アダプタ装置の好適な実施の形態につき図面を用いて説明するが、各図において同一、または相当する部分については、同一符号を付して説明する。
【００１４】
実施の形態１．
図１は、この発明の実施の形態１に係る通信アダプタ装置が適用されたデータ通信システムを示す構成図である。図１において、このデータ通信システムは、監視対象１０と監視センター２０とが、パケット交換網３０を介して互いに接続されて構成されている。
【００１５】
ここで、監視対象１０は、エレベータ１のかご内に設けられたマイク２およびスピーカ３（例えば、インターホン）と、エレベータ１に接続された監視装置４と、監視装置４からの音声信号を変調し、モデム信号として出力するモデム５と、モデム５に接続された通信アダプタ装置６とを有している。
【００１６】
監視装置４は、エレベータ１の監視データを監視センター２０に送信したり、マイク２およびスピーカ３を用いて、監視センター２０との間で音声通話したりしている。なお、モデム５と通信アダプタ装置６とは、固定電話回線７をインタフェースとして（以下、固定電話回線Ｉ／Ｆと称する）互いに接続されている。
【００１７】
また、監視センター２０は、パケット通信網３０と専用線８で接続されている。また、監視センター２０には、データ通信が正常に終了しなかった場合に、通信アダプタ装置６からのＳＭＳ（ｓｈｏｒｔ  ｍｅｓｓａｇｅ  ｓｅｒｖｉｃｅ）によるメッセージを受信するＳＭＳ受信部２４が設けられている。
【００１８】
以下、この発明の実施の形態１に係る通信アダプタ装置６が有する機能について説明する。まず、通信アダプタ装置６は、固定電話回線Ｉ／Ｆからのアナログ音声信号（モデム信号）を、圧縮しない場合は６４Ｋｂｐｓのまま、圧縮する場合は３２Ｋｂｐｓ程度に圧縮してデジタル音声信号に変換し、パケット化してパケット通信網３０に送信する。
【００１９】
また、通信アダプタ装置６は、パケット交換網３０からのパケットを受信して、６４Ｋｂｐｓまたは３２Ｋｂｐｓ程度のデジタル音声信号をアナログ音声信号に変換し、固定電話回線Ｉ／Ｆに送信する。
【００２０】
このとき、通信アダプタ装置６は、固定電話回線Ｉ／Ｆからのアナログ音声信号、またはパケット交換網３０からのパケットを変換したアナログ音声信号に、特定パターンのＰＢ（ｐｕｓｈ  ｂｕｔｔｏｎ）信号（ＤＴＭＦ：ｄｕａｌ  ｔｏｎｅ  ｍｕｌｔｉｐｌｅｘｅｄ  ｆｒｅｑｕｅｎｃｙ）が含まれているか否かをチェックしている。なお、ＰＢ信号は、監視装置４からの発報や監視センター２０からのポーリングが正常に終了した場合に送信される信号である。
【００２１】
また、通信アダプタ装置６は、発報またはポーリングが開始してから、特定パターンのＰＢ信号を検出した場合に、発報またはポーリングが成功したとみなす。
【００２２】
一方、通信アダプタ装置６は、発報またはポーリングが開始してから、特定パターンのＰＢ信号が検出されないのに、回線が切断された場合に、発報またはポーリングが失敗したとみなすが、発報またはポーリングは、上述したようにリトライされるので、あらかじめ定められた一定時間待機する。
【００２３】
また、通信アダプタ装置６は、一定時間待機しても、発報またはポーリングに係る発信または着信がない場合に、リトライオーバーと判断し、ＳＭＳ等のパケット交換網３０とは別の手段で送信されるメッセージを用いて、監視センター２０に発報またはポーリングが失敗したことを通知する。
【００２４】
これにより、監視装置４側の電源断等で応答できないのか、または着信はするがうまく通信できないのかを容易に切り分けることができる。また、回線交換方式の監視装置４をパケット交換網３０に接続した場合に、パケット交換網３０の混雑等により発報またはポーリングが失敗したときであっても、監視センター２０に失敗を通知することができるので、コストを削減するとともに、監視品質を向上させることができる。
【００２５】
図２は、この発明の実施の形態１に係る通信アダプタ装置を示すブロック構成図である。また、図３は、この発明の実施の形態１に係る監視センターを示すブロック構成図である。
【００２６】
図２において、通信アダプタ装置６は、電話回線処理部１１、Ａ／Ｄ変換部１２、パケット処理部１３、無線処理部１４、ＰＢ信号認識部１５、ＳＭＳ送信部１６および制御部１７を有している。ここで、制御部１７は、ＣＰＵ（Ｃｅｎｔｒａｌ  Ｐｒｏｃｅｓｓｉｎｇ  Ｕｎｉｔ）である。
【００２７】
電話回線処理部１１は、マイク２による通話の開始や監視装置４からの監視データの送信といった発信に係る動作（監視装置４からのダイヤリング）を検出した場合に、監視センター２０を呼び出すとともに、監視センター２０からの着信時にリンガー（呼出信号）を送信する。
【００２８】
また、Ａ／Ｄ変換部１２は、固定電話回線Ｉ／Ｆからのアナログ音声信号をデジタル音声信号に変換するとともに、パケット交換網３０からのパケットがパケット順に並べ替えられたデジタル音声信号をアナログ音声信号に変換する。なお、アナログ音声信号を圧縮する場合やデジタル音声信号を復元する場合には、Ａ／Ｄ変換部１２で圧縮または復号される。
【００２９】
パケット処理部１３は、Ａ／Ｄ変換部１２からのデジタル音声信号をパケットに分割するとともに、パケット交換網３０からのパケットをパケット順に並べ替える。また、無線処理部１４は、パケット処理部１３からのパケットをパケット交換網３０に送信するとともに、パケット交換網３０からのパケットを受信する。
【００３０】
ＰＢ信号認識部１５は、固定電話回線Ｉ／Ｆからのアナログ音声信号、またはパケット交換網３０からのパケットを変換したアナログ音声信号に、特定パターンのＰＢ信号が含まれているか否かをチェックする。
【００３１】
また、ＳＭＳ送信部１６は、監視装置４からの発報や監視センター２０からのポーリングが正常に終了しなかった場合に、制御部１７からの指令に応じて、監視センター２０に対してＳＭＳによりメッセージを送信する。制御部１７は、電話回線処理部１１、Ａ／Ｄ変換部１２、パケット処理部１３、無線処理部１４、ＰＢ信号認識部１５およびＳＭＳ送信部１６の動作を制御する。
【００３２】
図３において、監視センター２０は、パケット処理部２１、Ａ／Ｄ変換部２２、モデム通信部２３、ＳＭＳ受信部２４、制御部２５、モデム２６および遠隔監視部２７を有している。ここで、制御部２５は、ＣＰＵである。
【００３３】
パケット処理部２１は、パケット交換網３０からのパケットをパケット順に並べ替えるとともに、Ａ／Ｄ変換部２２からのデジタル音声信号をパケットに分割する。また、Ａ／Ｄ変換部２２は、パケット交換網３０からのパケットがパケット順に並べ替えられたデジタル音声信号をアナログ音声信号に変換するとともに、モデム通信部２３からのアナログ音声信号をデジタル音声信号に変換する。
【００３４】
モデム通信部２３は、Ａ／Ｄ変換部２２からのアナログ音声信号をモデム２６に送信するともに、モデム２６からのモデム信号を受信する。また、ＳＭＳ受信部２４は、ＳＭＳ送信部１６からのメッセージを受信する。制御部２５は、パケット処理部２１、Ａ／Ｄ変換部２２、モデム通信部２３およびＳＭＳ受信部２４の動作を制御する。
【００３５】
モデム２６は、モデム通信部２３からのアナログ音声信号を復調して遠隔監視部２７に送信するとともに、遠隔監視部２７からの信号を変調してモデム通信部２３に送信する。また、遠隔監視部２７は、モデム２６からの信号を受信するとともに、ポーリングの際、モデム２６に信号を送信する。
【００３６】
図４は、この発明の実施の形態１に係る監視装置と監視センターとの間の通信の流れを示すシーケンス図である。図４において、上段は、監視装置４から監視センター２０への発報を示し、下段は、監視センター２０から監視装置４へのポーリングを示している。
【００３７】
まず、発報時には、例えば監視装置４から、監視センター２０の番号がダイヤルされる。続いて、監視センター２０と回線が繋がったら、モデム通信が開始される。次に、監視装置４は、発報が正常に終了すると、ＰＢ信号を出力し、通信アダプタ装置６のＰＢ信号認識部１５がＰＢ信号を認識し、通信成功と判断するとともに、監視装置４は回線を切断する。
【００３８】
一方、ポーリング時には、例えば監視センター２０から着信があると、監視装置４へ着信信号を送信する。続いて、監視装置４と回線が繋がったら、モデム通信が開始される。次に、監視センター２０は、ポーリングが正常に終了すると、ＰＢ信号を出力し、通信アダプタ装置６のＰＢ信号認識部１５がＰＢ信号を認識し、通信成功と判断するとともに、監視装置４は回線を切断する。
【００３９】
以下、図５のフローチャートを参照しながら、この発明の実施の形態１に係る通信アダプタ装置の動作について説明する。図５の動作は、例えば通信アダプタ装置６の電話回線処理部１１が監視装置４からの発報や監視センター２０からのポーリングを検出した場合に実行される。
【００４０】
図５において、まず、通信アダプタ装置６は、通信が発信であるか否かを判定する（ステップＳ１）。ここで、通信アダプタ装置６は、監視装置４からダイヤルされた場合に、通信が発信であると判定する。
【００４１】
ステップＳ１において、通信が発信でない（すなわち、Ｎｏ）と判定された場合には、通信アダプタ装置６は、通信が着信であるか否かを判定する（ステップＳ２）。ここで、通信アダプタ装置６は、パケット交換網３０から着信信号を受信した場合に通信が着信であると判定する。
【００４２】
ステップＳ２において、通信が着信でない（すなわち、Ｎｏ）と判定された場合には、通信アダプタ装置６は、ステップＳ１に移行して、再度通信が発信であるか否かを判定する。
【００４３】
一方、ステップＳ２において、通信が着信である（すなわち、Ｙｅｓ）と判定された場合には、通信アダプタ装置６は、通信開始に際して、ＰＢフラグをオフする（ステップＳ３）。
【００４４】
続いて、通信アダプタ装置６は、監視装置４と監視センター２０とのモデム通信を実行する（ステップＳ４）。なお、ここでのモデム通信は、例えば１回分のポーリングに係る複数パケットの通信を想定している。
【００４５】
次に、通信アダプタ装置６は、ＰＢ認識部１５で特定パターンのＰＢ信号を認識したか否かを判定する（ステップＳ５）。
【００４６】
ステップＳ５において、ＰＢ信号を認識した（すなわち、Ｙｅｓ）と判定された場合には、通信アダプタ装置６は、ＰＢフラグをオンして（ステップＳ６）、回線が切断されたか否かを判定する（ステップＳ７）。
【００４７】
一方、ステップＳ５において、ＰＢ信号を認識していない（すなわち、Ｎｏ）と判定された場合には、通信アダプタ装置６は、そのままステップＳ７に移行し、回線が切断されたか否かを判定する。
【００４８】
ステップＳ７において、回線が切断されていない（すなわち、Ｎｏ）と判定された場合には、ステップＳ４に移行して、再度モデム通信を実行する。
【００４９】
一方、ステップＳ７において、回線が切断されている（すなわち、Ｙｅｓ）と判定された場合には、通信アダプタ装置６は、ＰＢフラグがオンであるか否かを判定する（ステップＳ８）。
【００５０】
ステップＳ８において、ＰＢフラグがオンでない（すなわち、Ｎｏ）と判定された場合には、リトライしていると判断し、一定時間待機する（ステップＳ９）。ここで、一定時間とは、複数回のリトライを行う時間に、さらに余裕を持たせた時間を想定しており、例えば３〜５分程度である。
【００５１】
続いて、通信アダプタ装置６は、待機時間中に、着信があったか否かを判定する（ステップＳ１０）。
【００５２】
ステップＳ１０において、着信があった（すなわち、Ｙｅｓ）と判定された場合には、ステップＳ３に移行して、ＰＢフラグをオフし、通信を再開する。
【００５３】
一方、ステップＳ１０において、着信がない（すなわち、Ｎｏ）と判定された場合には、通信アダプタ装置６は、リトライオーバーと判断し、ＳＭＳ送信部１６から監視センター２０にメッセージを送信し（ステップＳ１１）、図５の処理を終了する。
【００５４】
また一方、ステップＳ８において、ＰＢフラグがオンである（すなわち、Ｙｅｓ）と判定された場合には、通信アダプタ装置６は、図５の処理を終了する。
【００５５】
一方、ステップＳ１において、通信が発信である（すなわち、Ｙｅｓ）と判定された場合には、通信アダプタ装置６は、通信開始に際して、ＰＢフラグをオフする（ステップＳ１３）。
【００５６】
続いて、通信アダプタ装置６は、監視装置４と監視センター２０とのモデム通信を実行する（ステップＳ１４）。なお、ここでのモデム通信は、例えば１回分の発信に係る複数パケットの通信を想定している。
【００５７】
次に、通信アダプタ装置６は、ＰＢ認識部１５で特定パターンのＰＢ信号を認識したか否かを判定する（ステップＳ１５）。
【００５８】
ステップＳ１５において、ＰＢ信号を認識した（すなわち、Ｙｅｓ）と判定された場合には、通信アダプタ装置６は、ＰＢフラグをオンして（ステップＳ１６）、回線が切断されたか否かを判定する（ステップＳ１７）。
【００５９】
一方、ステップＳ１５において、ＰＢ信号を認識していない（すなわち、Ｎｏ）と判定された場合には、通信アダプタ装置６は、そのままステップＳ１７に移行し、回線が切断されたか否かを判定する。
【００６０】
ステップＳ１７において、回線が切断されていない（すなわち、Ｎｏ）と判定された場合には、ステップＳ１４に移行して、再度モデム通信を実行する。
【００６１】
一方、ステップＳ１７において、回線が切断されている（すなわち、Ｙｅｓ）と判定された場合には、通信アダプタ装置６は、ＰＢフラグがオンであるか否かを判定する（ステップＳ１８）。
【００６２】
ステップＳ１８において、ＰＢフラグがオンでない（すなわち、Ｎｏ）と判定された場合には、リトライしていると判断し、一定時間待機する（ステップＳ１９）。ここで、一定時間とは、複数回のリトライを行う時間に、さらに余裕を持たせた時間を想定しており、例えば３〜５分程度である。
【００６３】
続いて、通信アダプタ装置６は、待機時間中に、発信があったか否かを判定する（ステップＳ２０）。
【００６４】
ステップＳ２０において、発信があった（すなわち、Ｙｅｓ）と判定された場合には、ステップＳ１３に移行して、ＰＢフラグをオフし、通信を再開する。
【００６５】
一方、ステップＳ２０において、発信がない（すなわち、Ｎｏ）と判定された場合には、通信アダプタ装置６は、リトライオーバーと判断し、ＳＭＳ送信部１６から監視センター２０にメッセージを送信し（ステップＳ２１）、図５の処理を終了する。
【００６６】
以上のように、実施の形態１によれば、回線交換方式の監視装置に接続され、パケット交換網を介して監視センターとの間でデータを送受信する通信アダプタ装置であって、パケット処理部は、監視装置からのアナログ音声信号をパケットに変換するとともに、監視センターからのパケットをアナログ音声信号に変換し、ＰＢ信号認識部は、アナログ音声信号に含まれ、通信終了を示すＰＢ信号を認識し、制御部は、ＰＢ信号認識部でＰＢ信号を認識した場合に、通信成功と判断するとともに、ＰＢ信号を認識していないにもかかわらず、回線が切断された場合に、あらかじめ定められた一定時間待機し、メッセージ送信部は、制御部が一定時間待機した後も、発信または着信がない場合に、監視センターに対してＳＭＳによるメッセージを送信し、監視装置と監視センターとの通信が失敗したことを通知する。
そのため、回線交換方式の監視装置に接続され、データ通信が失敗しても、他の手段（ＳＭＳ）で通信を行うことができる通信アダプタ装置を得ることができる。
【図１】
2017168550.tif 000003
【図２】
2017168550.tif 000004
【図３】
2017168550.tif 000005
【図４】
2017168550.tif 000006
【図５】
2017168550.tif 000007
【国際調査報告】
2017168550.tif 000008
2017168550.tif 000009